(57)【要約】【課題】倉庫や工場等において、赤外光によって監視物を十分に照明する。【解決手段】照明装置１は、白色光を出射する白色ＬＥＤ２１を有する光源部２と、光源部２とは別体として構成され白色ＬＥＤ２１からの白色光を赤外光に変換する波長変換部３と、を備える。この構成によれば、一般的な赤外ＬＥＤよりも高い発光強度を有し且つ劣化し難い白色ＬＥＤ２１からの白色光を赤外光に変換するので、高輝度な赤外光を長期間に亘って安定的に出射することができる。これにより、倉庫や工場等において、赤外光により監視物を十分に照明することができる。【選択図】図１
2016170968.tif 000002
【特許請求の範囲】
【請求項１】
白色光を出射する白色ＬＥＤを有する光源部と、前記光源部とは別体として構成され前記白色ＬＥＤからの白色光を赤外光に変換する波長変換部と、を備えたことを特徴とする照明装置。
【請求項２】
前記波長変換部は、前記光源部に対して着脱自在となっていることを特徴とする請求項１に記載の照明装置。
【請求項３】
前記波長変換部の光出射面を覆うように設けられたフィルタを更に備え、
前記フィルタは、可視光を反射させて赤外光を透過させることを特徴とする請求項１又は請求項２に記載の照明装置。
【請求項４】
前記光源部は、波長域５８０ｎｍ〜６２０ｎｍの光を出射し、
前記波長変換部は、前記波長域の光によって励起されて赤外光を出射する蛍光体を有することを特徴とする請求項１乃至請求項３のいずれか一項に記載の照明装置。
【発明の詳細な説明】
【技術分野】
【０００１】
本発明は、赤外光を出射する照明装置に関する。
【背景技術】
【０００２】
従来から、倉庫や工場等において、防犯及び監視の目的から監視カメラ等の監視装置を設けることが行われている。このような監視装置は、照明が点灯され照度が高い状況又は日中ではカラー画像での撮影を行い、照明が消灯され照度が低い状況又は夜間では監視物から放射される赤外光を検知して白黒画像での撮影を行う。しかしながら、監視物から放射される赤外光が少ない場合には、監視物を鮮明に撮影できないことがある。そこで、監視装置に赤外光を出射する赤外ＬＥＤを組み込んだ照明装置を更に設け、この赤外ＬＥＤから出射され監視物によって反射された赤外光を検知することで、監視物の鮮明な画像を得ることが考えられる（例えば、特許文献1参照）。
【先行技術文献】
【特許文献】
【０００３】
【特許文献１】特開２００５−４９７１９号公報
【発明の概要】
【発明が解決しようとする課題】
【０００４】
しかしながら、上述したような照明装置では、赤外ＬＥＤから出射される赤外光の輝度が低い上に赤外ＬＥＤが使用に伴って劣化しやすいので、赤外光により監視物を十分に照明することができない虞がある。
【０００５】
本発明は、上記課題を解決するものであって、倉庫や工場等において、赤外光により監視物を十分に照明することができる照明装置を提供することを目的とする。
【課題を解決するための手段】
【０００６】
本発明の照明装置は、白色光を出射する白色ＬＥＤを有する光源部と、前記光源部とは別体として構成され前記白色ＬＥＤからの白色光を赤外光に変換する波長変換部と、を備えたことを特徴とする。
【発明の効果】
【０００７】
本発明によれば、一般的な赤外ＬＥＤよりも高い発光強度を有し且つ劣化し難い白色ＬＥＤからの白色光を赤外光に変換するので、高輝度な赤外光を長期間に亘って安定的に出射することができる。これにより、倉庫や工場等において、赤外光により監視物を十分に照明することができる。
【図面の簡単な説明】
【０００８】
【図１】本発明の一実施形態に係る照明装置の断面図。
【図２】上記照明装置を構成する光源部から出射される白色光の分光分布図。
【図３】上記照明装置から出射される赤外光の分光分布図。
【図４】上記実施形態の第１の変形例に係る照明装置の断面図。
【図５】上記照明装置において波長変換部の着脱に関わる構成を示すブロック図。
【図６】上記実施形態の第２の変形例に係る照明装置の断面図。
【発明を実施するための形態】
【０００９】
本発明の一実施形態に係る照明装置について図１乃至図３を参照して説明する。図１に示すように、照明装置１は、光源部２と、光源部２とは別体として構成され光源部２からの光が入射する位置に配置された波長変換部３と、を備える。
【００１０】
光源部２は、倉庫や工場等において室内空間を照明する一般照明光源として用いられるものであり、白色光を出射する白色ＬＥＤ２１と、白色ＬＥＤ２１からの白色光を白色ＬＥＤ２１の光軸Ａｘ方向に配光制御する光学部材２２と、を有する。白色ＬＥＤ２１は、青色光を出射するＬＥＤチップ２３と、ＬＥＤチップ２３からの青色光により励起されて緑色光〜赤色光を出射する蛍光体２４と、を有し、これらの光を互いに混色させることで白色光を出射する。蛍光体２４は、例えば、Ｅｕ２＋付活シリケート系蛍光体、Ｅｕ２＋付活窒化物蛍光体、Ｅｕ２＋付活酸窒化物蛍光体又はＥｕ２＋付活硫化物蛍光体により構成される。光学部材２２は、図例では、断面視において椀状に形成された反射板により構成され、その底部に白色ＬＥＤ２１を配置している。反射板（光学部材）２２は、その内面に高い光反射率を有する材料、例えば、アルミニウムや銀により構成された反射面２５を有する。なお、光学部材２２は、反射板に限定されず、例えば、白色ＬＥＤ２１からの白色光を集光するレンズにより構成されていてもよい。
【００１１】
波長変換部３は、図例では、断面視において平板状に形成され、光軸Ａｘに直交した状態で反射面２５を塞ぐように配置されている。波長変換部３は、図示しない取付構造によって反射板２２に取り付けられている。波長変換部３は、基材となる透光性材料３１と、透光性材料３１の内部に分散された蛍光体３２と、を有する。透光性材料３１は、例えば、アクリル板やポリカーボネート板により構成される。蛍光体３２は、白色ＬＥＤ２１からの白色光により励起されて赤外光を出射する蛍光体、例えば、Ｎａ５（Ｙｂ，Ｎｄ）（ＭｏＯ４）４により構成される。このように構成された波長変換部３は、白色ＬＥＤ２１からの白色光を赤外光に変換して出射する。
【００１２】
図２に示すように、白色ＬＥＤ２１から出射される白色光は、ＬＥＤチップ２３から出射され波長略４５０ｎｍにピークを有する青色光と、蛍光体２４から出射され波長略５６０ｎｍにピークを有する緑色光〜赤色光と、を含む。この緑色光〜赤色光のうち波長域５８０ｎｍ〜６２０ｎｍの光は、蛍光体３２を効率良く励起する。
【００１３】
一方、図３に示すように、波長変換部３の蛍光体３２から出射される赤外光は、波長略９８５ｎｍに最大ピークを有する。このような赤外光は、蛍光体３２が白色ＬＥＤ２１から出射される波長域５８０ｎｍ〜６２０ｎｍの光によって効率良く励起されるので、効果的に生み出される。
【００１４】
上記のように構成された照明装置１によれば、一般的な赤外ＬＥＤよりも高い発光強度を有し且つ劣化し難い白色ＬＥＤ２１からの白色光を波長変換部３によって赤外光に変換するので、高輝度な赤外光を長期間に亘って安定的に出射することができる。これにより、照明装置１を倉庫や工場等の室内空間に設置した場合に、室内空間に存在する監視物を赤外光によって十分に照明することができるので、暗所において該監視物から反射されてきた赤外光を監視装置で検知すると広範囲に鮮明な画像を得ることができる。
【００１５】
次に、上記実施形態の第１の変形例に係る照明装置について図４及び図５を参照して説明する。図４に示すように、照明装置１１では、波長変換部３が光源部２に対して着脱自在となっており、図例では、光軸Ａｘに直交する方向にスライド着脱することができるように構成されている。波長変換部３を光源部２の側方にスライドさせて反射面２５を露出させると、光源部２からの白色光が外部に照射される。このように波長変換部３をスライド着脱することで、白色光を出射するパターンと赤外光を出射するパターンとの２パターンで照明装置１１を使用することができる。これにより、１つの照明装置１１を昼間は白色光を出射する一般照明として用い、夜間は赤外光を出射する監視装置用の光源として用いることができる。
【００１６】
図５に示すように、波長変換部３のスライド移動は、制御部４により制御される。制御部４は、波長変換部３をスライド移動させる駆動部４１と、駆動部４１に動作指示を出す指示部４２と、を有する。また、制御部４は、指示部４２に駆動部４１への指示出しタイミングを与えるための人感センサ４３及びタイマ４４と、駆動部４１への指示出しに連動して指示部４２により動作制御される監視カメラ等の監視装置４５と、を有する。
【００１７】
駆動部４１は、例えば、ラックアンドピニオン機構を有し、指示部４２からの指示に従って波長変換部３を光源部２に着脱する。指示部４２は、マイコン等を有し、例えば、人感センサ４３が人を検知しているときには波長変換部３を光源部２から取り外し、人感センサ４３が人を検知していないときには波長変換部３を光源部２に装着するよう駆動部４１に指示を出す。また、指示部４２は、例えば、タイマ４４に予め設定された時刻が来たときに、波長変換部３を光源部２に着脱するよう駆動部４１に指示を出す。更に、指示部４２は、波長変換部３が光源部２に装着されているときには監視物からの赤外光を検知して白黒画像での撮影を行い、且つ波長変換部３が光源部２から取り外されているときにはカラー画像での撮影を行うように監視装置４５に指示を出す。なお、波長変換部３のスライド移動は、このような自動制御に限定されず、手動で行われてもよい。
【００１８】
次に、上記実施形態の第２の変形例に係る照明装置について図６を参照して説明する。照明装置１２では、波長変換部３の光出射面３３を覆うようにしてフィルタ５が設けられている。フィルタ５は、可視光を反射させて赤外光を透過させる赤外光透過フィルタにより構成されている。このようにすることで、波長変換部３において波長変換しきれなかった光源部２からの白色光（可視光）が、外部に漏れなくなる。これにより、例えば、照明装置１２を人工光により植物を育成する植物工場に設置して、夜間に監視装置用の光源として用いた場合に、照明装置１２から漏れ出した可視光によって植物の生育に悪影響が出るのを防止することができる。
【００１９】
なお、本発明に係る照明装置は、上記実施形態及びその変形例に限定されず種々の変形が可能である。例えば、波長変換部は、フィルム状に形成されてシャッター式に光源部に対して着脱自在となっていてもよい。更に、波長変換部に含まれる蛍光体を効率良く励起するために、光源部に波長域５８０ｎｍ〜６２０ｎｍの光を出射するＬＥＤを別に設けてもよい。
【符号の説明】
【００２０】
１、１１、１２  照明装置
２  光源部
２１  白色ＬＥＤ
３  波長変換部
３２  （赤外光を出射する）蛍光体
３３  波長変換部の光出射面
５  フィルタ
【図１】
2016170968.tif 000003
【図２】
2016170968.tif 000004
【図３】
2016170968.tif 000005
【図４】
2016170968.tif 000006
【図５】
2016170968.tif 000007
【図６】
2016170968.tif 000008